(57)【要約】【課題】  目標アドレス範囲に所定回数光ピックアップの移動動作を繰り返しても目標アドレス範囲内に収束しない場合は、目標アドレス範囲を拡大することで、エラー処理となる可能性を低くすることを目的とする。【解決手段】  光ディスクより情報を読み取る読み取り手段と、該読み取り手段を移動させる移動手段と、所定アドレス位置に対応するアドレス範囲を設け、該アドレス範囲内の情報が読み取ることができる位置に前記読み取り手段を移動させるように前記移動手段に指示する制御手段と、を備え、該制御手段は、所定条件において前記移動手段が前記読み取り手段を前記アドレス範囲内の情報が読み取ることができる位置に移動できない毎に、前記アドレス範囲を所定アドレス分広げ、前記読み取り手段を前記アドレス範囲内の情報が読み取ることができる位置に移動させるように前記移動手段に指示する。【選択図】        図３
2005032356.tif 000002
【特許請求の範囲】
【請求項１】
光ディスクより情報を読み取る読み取り手段と、該読み取り手段を移動させる移動手段と、所定アドレス位置に対応する第１のアドレス範囲を設け、該第１のアドレス範囲内の情報が読み取るこができる位置に前記読み取り手段を移動させるように前記移動手段に指示する制御手段と、を備え、
該制御手段は、所定条件において前記移動手段が前記読み取り手段を前記第１のアドレス範囲内の情報が読み取ることができる位置に移動できない場合は、前記第１のアドレス範囲よりも広い第２のアドレス範囲を設け、前記読み取り手段を前記第２のアドレス範囲内の情報が読み取ることができる位置に移動させるように前記移動手段に指示することを特徴とする光ディスク再生装置。
【請求項２】
光ディスクより情報を読み取る読み取り手段と、該読み取り手段を移動させる移動手段と、所定アドレス位置に対応するアドレス範囲を設け、該アドレス範囲内の情報が読み取ることができる位置に前記読み取り手段を移動させるように前記移動手段に指示する制御手段と、を備え、
該制御手段は、所定条件において前記移動手段が前記読み取り手段を前記アドレス範囲内の情報が読み取ることができる位置に移動できない毎に、前記アドレス範囲を所定アドレス分広げ、前記読み取り手段を前記アドレス範囲内の情報が読み取ることができる位置に移動させるように前記移動手段に指示することを特徴とする光ディスク再生装置。
【請求項３】
前記所定条件は、前記移動手段の所定移動回数であることを特徴とする請求項１又は２に記載の光ディスク再生装置。
【請求項４】
前記所定条件は、前記移動手段の所定移動時間であることを特徴とする請求項１又は２に記載の光ディスク再生装置。
【発明の詳細な説明】
【技術分野】
【０００１】
本発明は、光ディスク再生装置に関する。
【背景技術】
【０００２】
光ディスクのトラックサーチ方法としては、サーチ指定アドレスが指定された場合、その指定アドレスの前後数セクタをサーチアドレス範囲として、現在の位置から目標アドレス範囲までのトラック本数を計算し、その本数に基づいてトラックジャンプを制御することが考えられた（例えば特許文献１参照）。
【０００３】
目標アドレス範囲に光ピックアップが入るまでのトラックサーチの収束方法は、トラックジャンプ移動に際し、例えば、現在ディスクの内側にある光ピックアップが外側にある目標アドレス範囲に入ろうとして移動した際、目標アドレス範囲の外側に越えると、次に内側に向かってトラックジャンプを行うように制御する。このとき、目標アドレスを越えて内側に移動しすぎた場合には再度外側に向かってトラックジャンプを行うように制御する。以上のようにして、トラックジャンプを繰り返し次第に目標アドレス範囲内に光ピックアップが入るような収束方法を行っている。そして、トラックジャンプの回数を所定回数繰り返しても目標アドレス範囲に収束しない場合はエラーとしてディスクをディスク再生装置から排出する等のエラー処理を行っていた。
【特許文献１】特開平５−２９８８６０号公報（第２−４頁、第１図）
【発明の開示】
【発明が解決しようとする課題】
【０００４】
しかしながら、光ディスクの目標アドレス範囲内の表面にキズや異物の付着及び光ピックアップ自体への異物の付着や光ピックアップ内に設けられているレーザダイオードの経年劣化等による光損失で目標アドレス範囲のアドレスが読めなくなった場合、何度トラックジャンプを繰り返しても目標アドレス範囲内に入ったと判定できず必ずエラー処理を行ってしまうという問題がある。
【０００５】
本発明は上記の点に鑑みなされたものであり、目標アドレス範囲に所定回数光ピックアップの移動動作を繰り返しても目標アドレス範囲内に収束しない場合は、目標アドレス範囲を拡大することで、エラー処理となる可能性を低くすることを目的とする。
【課題を解決するための手段】
【０００６】
上記目的を達成するために本発明の光ディスク再生装置は、光ディスクより情報を読み取る読み取り手段と、該読み取り手段を移動させる移動手段と、所定アドレス位置に対応する第１のアドレス範囲を設け、該第１のアドレス範囲内の情報が読み取ることができる位置に前記読み取り手段を移動させるように前記移動手段に指示する制御手段と、を備え、
該制御手段は、所定条件において前記移動手段が前記読み取り手段を前記第１のアドレス範囲内の情報が読み取ることができる位置に移動できない場合は、前記第１のアドレス範囲よりも広い第２のアドレス範囲を設け、前記読み取り手段を前記第２のアドレス範囲内の情報が読み取ることができる位置に移動させるように前記移動手段に指示する。
【０００７】
また、光ディスクより情報を読み取る読み取り手段と、該読み取り手段を移動させる移動手段と、所定アドレス位置に対応するアドレス範囲を設け、該アドレス範囲内の情報が読み取ることができる位置に前記読み取り手段を移動させるように前記移動手段に指示する制御手段と、を備え、
該制御手段は、所定条件において前記移動手段が前記読み取り手段を前記アドレス範囲内の情報が読み取ることができる位置に移動できない毎に、前記アドレス範囲を所定アドレス分広げ、前記読み取り手段を前記アドレス範囲内の情報が読み取ることができる位置に移動させるように前記移動手段に指示する。
【０００８】
また、前記所定条件は、前記移動手段の所定移動回数または所定移動時間とする。
【発明の効果】
【０００９】
目標アドレス範囲に所定回数光ピックアップの移動動作を繰り返しても目標アドレス範囲内に収束しない場合は、目標アドレス範囲を拡大することで、エラー処理となる可能性を低くすることができる。
【発明を実施するための最良の形態】
【００１０】
以下に本発明に係る光ディスク再生装置の実施例を図１〜３に基づき説明する。
【００１１】
図１は本発明に係る光ディスク再生装置を音楽ＣＤ再生装置に用いた場合の要部の構成を示す図である。図１において１は音楽などの情報が記録された光ディスク、２は光ディスク１を回転させるためのスピンドルモータ、３は光ディスク１に記録された情報を読み出すための光ピックアップ、４は光ディスク１から読み出したデジタルデータに対し訂正動作などを行うＥＦＭ変調／ＣＲＩＣ部、５はＥＦＭ変調／ＣＲＩＣ部４で訂正されたデジタルデータをアナログ信号に変換しオーディオ信号として出力するＤ／Ａ変換器である。
【００１２】
６は光ピックアップ３をディスクの径方向に移動させるための光ピックアップ移動手段、７はスピンドルモータ２や光ピックアップ移動手段６を制御するサーボ制御回路、８は光ピックアップ３によって読み出されたデジタル信号を増幅するアンプ、９は光ピックアップ３によって読み出されたアドレスデータをデコードするアドレスデコーダ、１０は光ディスクの再生に関する情報をユーザに報知するための表示部、１１はユーザが再生や停止等の指示をキー操作するキー入力部である。
【００１３】
１２はＥＦＭ変調／ＣＲＩＣ部４やサーボ制御回路７等、装置全体を制御する制御回路、１３は制御回路１２の制御に必要なプログラムが記録されたＲＯＭ、１４は光ディスクに内周に設けられたＴＯＣ（Ｔａｂｌｅ  Ｏｆ  Ｃｏｍｔｅｎｓ）に記憶され光ピックアップ３により読み出された光ディスク１のアドレス情報を記憶するＲＡＭである。制御回路１２はサーボ制御回路７を制御し、光ピックアップ３を光ディスク１の径方向に移動させ、ＲＯＭ１３に記録されたプログラムに基づき光ピックアップ３を所定位置に移動させる。
【００１４】
図２はサーチ指定アドレス２１と目標アドレス範囲との関係を概念的に示した図であり、同図（ａ）はサーチ指定アドレス２１の目標アドレス範囲２２のアドレス２３、２４を示し、同図（ｂ）は拡張した目標アドレス範囲２５のアドレス２６、２７位置関係を示している。目標アドレス範囲２２は例えば指定アドレス２１の前後夫々１０セクタ、拡張した目標アドレス範囲２７は例えば前後夫々１０セクタずつ増やし、指定アドレス２１の前後夫々２０セクタとなるように設定されている。
【００１５】
次に本実施例の制御回路１２の動作について、図３のフローチャートに基づいて説明する。
【００１６】
ユーザによってキー入力部１１を介してトラックサーチの指示が行われると、ＲＡＭ１４より指定アドレスを読み出し、指定アドレスから目標アドレス範囲を算出し（ステップＳ１）、現在の光ピックアップ３と指定アドレス２１との間のトラック数を算出してサーボ制御回路７によって制御された光ピックアップ移動手段６によって光ピックアップ３を算出されたトラック数分移動させる（ステップＳ２）。
【００１７】
ステップＳ２において移動させた位置において、光ピックアップ３の位置のアドレスを読み取り（ステップＳ３）、光ピックアップ３の移動後のアドレス位置が目標アドレス範囲内であるか否かを判定し（ステップＳ４）、目標アドレス範囲内であれば（ステップＳ４のＹ）移動処理を終了する。
【００１８】
ステップＳ４において、光ピックアップ３の移動後のアドレス位置が目標アドレス範囲２１内でない場合には（ステップＳ４のＮ）、ステップＳ２からＳ４の動作を所定回数繰り返し、所定回数（例えば５０回）繰り返されたか否かを判定する（ステップＳ５）。所定回数繰り返されても目標アドレス範囲内に収束しない場合には（ステップＳ５のＹ）、現在の目標アドレス範囲よりもアドレス範囲を拡張した目標アドレス範囲を算出（ステップＳ６）し、ステップＳ２に戻り拡張した目標アドレス範囲に光ピックアップを移動させる。以降、光ピックアップが目標アドレス範囲内に収束するまで繰り返す。
【００１９】
尚、本実施例では光ピックアップ３の移動を所定回数行ったか否かを判定し、所定回数行っても目標アドレス範囲内に収束しない場合、目標アドレス範囲を拡張するようにしたが、これに限定するものではなく、例えば、光ピックアップ３の移動を所定時間（例えば５秒）繰り返し、その間に目標アドレス範囲に収束しない場合、目標アドレス範囲を拡張するようにしてもよい。
【００２０】
尚、本実施例ではユーザのキー入力によって指定アドレスを指定し、目標アドレス範囲を設定するようにしたが、これに限定するものではなく、例えば再生中に振動や衝撃等によって光ピックアップ３の位置がずれ、位置ずれが生じる前の位置に光ピックアップ３を戻す場合に目標アドレス範囲を設定するようにしてもよい。
【００２１】
尚、本実施例では光ピックアップが目標アドレス範囲内に収束するまで目標アドレス範囲を拡張するようにしたが、これに限定するものではなく、所定回数目標アドレス範囲を拡張しても収束しないしない場合は、表示部１０にエラー表示を行うと共に、光ディスクを再生装置より排出動作する等のエラー処理を行ってもよい。
【図面の簡単な説明】
【００２２】
【図１】本発明の実施例の主要な構成を示すブロック図である。
【図２】本発明の実施例の指定アドレスと目標アドレス範囲との関係を示す図である。
【図３】本発明の要部の動作を示すフローチャートである。
【符号の説明】
【００２３】
１    光ディスク
４    光ピックアップ移動手段
１２  制御回路
【図１】
2005032356.tif 000003
【図２】
2005032356.tif 000004
【図３】
2005032356.tif 000005